(57)【特許請求の範囲】
【請求項１】
バッテリを格納するためのバッテリ格納室が、フロントフレーム部とリヤフレーム部との間のミッドフレーム部に形成されており、
前記バッテリ格納室は、前後の壁面を構成する前後の縦板と、底面を構成する底板とを備え、上面及び側面のそれぞれにバッテリの出入を可能とするための上面の開口部及び側面の開口部を備え、
前記バッテリ格納室の側面の開口部からのバッテリの抜け出しを規制する抜け出し規制部材を備え、
前記抜け出し規制部材は、前記バッテリ格納室における前記側面の開口部において前記前後の縦板に貫設された取付穴に対して抜き差し可能とされた第一端末及び第二端末と、前記バッテリ格納室における前記側面の開口部において前記底板に貫設された取付穴に対して抜き差し可能とされた第三端末とを有するＴ字バーから構成され、
前記前後の縦板に形成された抜け出し規制部材用の取付穴は、上下方向に長い長穴とされている
バッテリ式トーイングトラクタ。
【請求項２】
請求項１に記載のバッテリ式トーイングトラクタであって、
前記バッテリ格納室の底面を構成する部材は、その底面を塞ぐアンダープレートと、アンダープレート上に配置された前後方向に延在する複数の前記底板とを備え、
前記底板の相互間には、車体前後に配置される電気機器を接続するためのワイヤーハーネスの配線スペース用として、車両前後方向に延在する空間が形成され、
前記空間は、前記バッテリ格納室における前後の縦板に形成された連通用開口を介して車両前後方向に連通され、
前記ワイヤーハーネスが前記空間及び前記前後の連通用開口を通して配線されている
バッテリ式トーイングトラクタ。
【発明の詳細な説明】
【０００１】
【発明の属する技術分野】
本発明は、主としてトレーラの牽引に使用されるバッテリ式トーイングトラクタに関する。
【０００２】
【従来の技術】
従来のバッテリ式トーイングトラクタとしては、車両の中央から後部に掛けてバッテリ格納室を備えるとともに、車体の後端部には牽引装置を備えたものが一般的である。バッテリ格納室は、上面を開放した箱形構造であり、多数のバッテリセルを収納したバッテリケースが格納されている。そして、バッテリ交換は、バッテリ格納室の上面に開閉可能に取り付けられたバッテリフードを開放した状態で、バッテリケースごとクレーンで吊り上げることによって行っている。なお、クレーンを使ってバッテリ交換を行うバッテリ式トーイングトラクタとしては、例えば実開平７−５８６８号公報を挙げることができる。
【０００３】
【発明が解決しようとする課題】
しかしながら、クレーンを使ってのバッテリ交換は、吊り上げのための上方スペースが必要であり、作業場所に制約を受けること、また、交換作業に時間が掛かり過ぎること、等から必ずしも最適な交換方式とは言い難いものである。
【０００４】
本発明は、上述した従来の問題点に鑑みてなされたものであり、その目的とするところは、クレーンを用いてのバッテリ交換のみならず、フォークリフト等の荷役車両を使用してのバッテリ交換をも可能とし、交換作業の利便性を高めることにある。
【０００５】
【課題を解決するための手段】
上記課題を達成するため、本発明に係るバッテリ式トーイングトラクタは、特許請求の範囲の各請求項に記載の通りの構成を備えた。
従って、請求項１に記載の発明によれば、バッテリ交換は、バッテリ格納室の上面又は側面の開口部を用いて選択的に行うことができる。すなわち、上面側の開口部を利用してのクレーンによる吊り上げによって、或いは側面の開口部を利用してのフォークリフトによる横引き出しによってバッテリ交換を行うことができる。このため、上方スペースに制約がある場所ではフォークリフト等の荷役車両によって、側方スペースに制約がある場所ではクレーンによって、というような使い分けが可能となり、バッテリ交換作業の利便性が向上する。
【０００６】
また、バッテリ格納室に格納されたバッテリが側面の開口部から不測に抜け出ることを抜け出し規制部材によって防止することができる。この場合、抜け出し規制部材を、バッテリ格納室における側面の開口部において前後の縦板に形成された取付穴に対して抜き差し可能とされた第一端末及び第二端末と、前記バッテリ格納室における側面の開口部において底板に形成された取付穴に抜き差し可能とされた第三端末とを有するバーによって構成したときは、軽量でありながら、高強度の抜け出し規制部材を提供することができ、しかも着脱操作を簡単に行うことができる。また、前後の縦板に形成された抜け出し規制部材用の取付穴は、上下方向に長い長穴とされているのでよい。
【０００７】
また、請求項２に記載の発明によれば、バッテリ格納室の底面を構成する部材は、底面を塞ぐアンダープレートと、アンダープレート上に配置された前後方向に延在する複数の底板とを備え、底板の相互間に、車両前後の電気機器を接続するワイヤーハーネス配線用としての空間を設け、その空間は前記バッテリ格納室における前後の縦板に形成された連通用開口を介して車両前後方向に連通され、ワイヤーハーネスが空間及び前後の連通用開口を通して配線されていることによって、構造的に無駄が少なく、かつバッテリ交換時にワイヤーハーネスを引っ掛かけるといったトラブルを防止できる。
上記のワイヤーハーネス配線用の空間は、例えばバッテリ格納室の底面を塞ぐアンダープレート上に、前後方向に延在する複数の強度部材である底板を所定間隔を置いて配置することによって形成することができ、そして、強度部材の端面を前後の壁面を構成する縦板に接合することによってバッテリ格納室の側面開放に伴う強度低下をカバーして所要強度を確保することができる。
【０００８】
【発明の実施の形態】
以下、本発明の実施の形態を図面に基づいて説明する。図１は本実施の形態に係るバッテリ式トーイングトラクタのフレーム構造を示す斜視図である。図２はバッテリ式トーイングトラクタの側面図、図３は同じく平面図である。但し、図２及び図３ではフレーム構造を点線で示している。図４は図３のＩＶ−ＩＶ線断面図である。
本実施の形態に係るバッテリ式トーイングトラクタのフレーム構造は、強度部材としての複数の厚肉鉄板を相互に溶接にて接合した一体構造であって、図１に示すように、車両進行方向において、フロントフレーム部Ｆと、ミッドフレーム部Ｍと、リヤフレーム部Ｒとの３つに区分され、ミッドフレーム部Ｍにバッテリ格納室１が形成される。
【０００９】
ミッドフレーム部Ｍであるバッテリ格納室１は、車幅方向に長い厚肉鉄板からなる強度部材としての前後の縦板２，３と、両縦板２，３間に延在される強度部材としての左右２枚の底板４を主体に構成される。左右の両底板４は断面コ字形に形成された厚肉鉄板からなり、開口側を下向きにした状態で所定の間隔を置いて対向状に配置され、その前後の端面が前後の縦板２，３の下端部に突き当てられて接合されている。
なお、左右の底板４の下面には、バッテリ格納室１の底面を塞ぐアンダープレート５が配置され、このアンダープレート５は底板４及び前後の縦板２，３に接合されている。すなわち、アンダープレート５と底板４が本発明でいうバッテリ格納室１の底面を構成する部材に相当する。
【００１０】
また、フロントフレーム部Ｆは、前側の縦板２の前方において、車幅方向に所定間隔を隔てて縦向きに配置される強度部材としての厚肉鉄板からなる左右のフロントサイドメンバ６と、両フロントサイドメンバ６をその下部側において相互に結合する強度部材としての厚肉鉄板からなるプレート７とから構成されている。なお、図示は省略するが、フロントフレーム部Ｆの中央下部には、フロントアクスルが取り付けられるとともに、サスペンションによって支持される。また、フロントフレーム部Ｆの前端部には、バンパー８（図２参照）が接合される。
【００１１】
また、リヤフレーム部Ｒは、後側の縦板３の後方において、車幅方向に所定間隔を隔てて配置される強度部材としての厚肉鉄板からなる左右のリヤサイドメンバ９と、両リヤサイドメンバ９の後端部を相互に結合する強度部材としての厚肉鉄板からなるリヤクロスメンバ１０とから構成されている。なお、リヤフレーム部Ｒには、図示省略のリヤアクスルがリジッドに接合される。また、リヤクロスメンバ１０の後面中央部には、トレーラと連結可能な牽引装置１１（図２及び図３参照）が取り付けられている。
【００１２】
トーイングトラクタのフレームは、上記のように構成されることで、所要の強度が確保されており、そして、ミッドフレーム部Ｍの一方の側面（右側面）と、リヤフレーム部Ｒの上面及び両側面がそれぞれ鉄板製のパネル１２によって覆われ、また、フロントフレーム部Ｆ上にはキャビン１３が搭載される。
かくして、ミッドフレーム部Ｍには、図４に示すように、前後の縦板２，３をそれぞれ前壁、後壁とし、左右の底板４及びアンダープレート５を床面とし、パネル１２を右側壁とするバッテリ格納室１、すなわち、上面及び他方の側面（左側面）がバッテリ交換用の開口部１４，１５として開放されたバッテリ格納室１が形成される。
【００１３】
しかして、バッテリ格納室１における左右の底板４間の空間Ｓは、バッテリ格納室１に格納されるバッテリ、車体後部に配置されるコントローラ２３や走行モータ２４、車体前部に配置されるライトやスイッチ等の各種電気機器を相互に接続するためのワイヤーハーネス１６の配線用として設定されている。すなわち、前後の縦板２，３の下端部には、空間Ｓと対向する部位に、該空間Ｓを車両前後に連通する連通用開口としての所要大の切欠穴２ａ，３ａが設けられており、この切欠穴２ａ，３ａを通してワイヤーハーネス１６が車両縦断方向、すなわち前後方向に沿って配線されている。
また、底板４の上面には、車幅方向に延在する複数本（最少２本）のレール状のケース受け台１７が配置され、このケース受け台１７上に多数のバッテリセルを収容したバッテリケース１８が載置されて格納される構成となっている。すなわち、バッテリケース１８が載置された状態では、ケース下面には複数のケース受け台１７によってフォークリフトにおけるフォークの差し込み用スペースが形成される。
【００１４】
また、バッテリ格納室１上面の開口部１４は、開閉可能なバッテリフード１９によって覆われる。また、バッテリ格納室１における側面の開口部１５には、該バッテリ格納室１内に格納されたバッテリケース１８が不測に抜け出ることを規制する抜け出し規制部材としてのＴ字バー２０が備えられている。このＴ字バー２０は、各端末が前後の縦板２，３に貫設された取付穴２１、及び左側の底板４上面に貫設された取付穴２２に差し込まれて３箇所を支持されている。
なお、縦板２，３の取付穴２１は、取付穴２２に対する抜き差しを可能とするために、上下方向に長い長穴とされている。このため、Ｔ字バー２０の着脱操作は簡単に行うことができる。
【００１５】
上記のように構成された本実施の形態に係るバッテリ式トーイングトラクタによれば、バッテリ格納室１の上面と側面とにそれぞれバッテリ出入用の開口部１４，１５を設定したことによって、バッテリ交換を、バッテリフード１９を開放した状態で、クレーンを利用して上面の開口部１４からバッテリケース１８を吊り上げることで行い得るほか、Ｔ字バー２０を外した状態で、フォークリフトを用いて側面の開口部１５からバッテリケース１８を出入することで行うことができる。
【００１６】
すなわち、バッテリ交換の作業場所（作業環境）に応じて或いは保有する設備に応じて、いずれの開口部１４，１５を利用してバッテリ交換を行うかを選択できる。例えば、トラクタの上方スペースに制約がある場所では、フォークリフトによって、また側方スペースに制約があるような場所ではクレーンによって、というような使い分けが可能となり、バッテリ交換作業の利便性が向上する。なお、上方の開口部１４は、メンテナンス作業用として使用できることは当然である。
【００１７】
また、本実施の形態においては、バッテリ格納室１に格納されたバッテリケース１８が、側面の開口部１５から不測に抜け出ることを、抜け出し規制部材としてのＴ字バー２０によって防止できる。この場合、抜け出し規制部材をパイプからなるＴ字バー２０によって構成したので、軽量でありながら、高強度を有する抜け出し規制部材を提供することができ、また、前後の縦板２，３及び底板４に設けた取付穴２１，２２に対する抜き差しによる着脱構造であるから、その着脱を簡単に行うことができる。
【００１８】
また、バッテリ格納室１の底面を塞ぐアンダープレート５上に、前後方向に延在する複数の断面コ字形の厚肉鉄板からなる底板４を配置するとともに、その底板４を前後の縦板２，３に接合する構成とすることで、バッテリ格納室１としての所要強度を確保した上で、左右の底板４間に形成される空間Ｓを、バッテリ格納室１を挟んで車体前後に設置される電気機器を接続するワイヤーハーネス１６の配線スペースとしたので、構造的に無駄が少なく、しかもバッテリ交換時におけるワイヤーハーネス１６の引っ掛かりに起因する切断等のトラブルを未然に防止できる。
【００１９】
なお、本発明は図示の実施の形態に限定されるものではなく、その要旨を逸脱しない範囲内で、適宜変更してもよい。
例えば、ケース受け台１７にローラー又はスライダーを設けることによってバッテリケース１８をバッテリ格納室１の側面の開口部１５から容易に出入できる横引き出し形式とすることも可能であり、そのときはフォークリフト以外の荷役車両、例えば台車を用いて交換することも可能である。
【００２０】
また、バッテリ格納室１の底面を構成する強度部材としての底板４は、断面コ字形としたが、その断面形状については特に限定を受けるものではなく、所要強度を確保できる断面形状と板厚を有すればよく、また底板４の本数を増加することは何ら差し支えない。
また、底板４間の空間Ｓに配線されるワイヤーハーネス１６については、これを適宜カバーによって上面から覆うようにしてもよい。
【００２１】
【発明の効果】
以上詳述したように、本発明によれば、クレーンを用いてのバッテリ交換のみならず、フォークリフトを使用してのバッテリ交換をも可能としたことによって、交換作業に関する利便性の高いバッテリ式トーイングトラクタを提供できる。
【図面の簡単な説明】
【図１】本実施の形態に係るバッテリ式トーイングトラクタのフレーム構造を示す斜視図である。
【図２】バッテリ式トーイングトラクタの側面図であり、フレーム構造を点線で示してある。
【図３】同じく平面図であり、フレーム構造を点線で示してある。
【図４】図３のＩＶ−ＩＶ線断面図である。
【符号の説明】
１     バッテリ格納室
２     縦板
３     縦板
４     底板
１４   開口部
１５   開口部
１６   ワイヤーハーネス
１７   ケース受け台
１８   バッテリケース
１９   バッテリフード
２０   Ｔ字バー
Ｓ     空間
【図１】
0004756291.tif 000002
【図２】
0004756291.tif 000003
【図３】
0004756291.tif 000004
【図４】
0004756291.tif 000005